(57)【要約】【課題】従来、土質改良等において回収した土類を処理工程に供給する装置では、高含水比の粘性土を対象とした場合に、その粘性土を定量供給することが困難であった。【解決手段】  上下に開口し且つ上側から粘性土Ａが投入される収容体２と、収容体２の内壁の一部を形成し且つ下端側を中心に回動して収容体２内の粘性土を押圧する押圧板３と、回転に伴って収容体１内の粘性土Ａの底部を供給用コンベアＣ１上に切り落とすロータ４を備えた粘性土供給装置１Ａとし、処理工程に対して高含水比の粘性土Ａを連続的に定量供給し得るものとした。【選択図】  図１
2006021188.tif 000002
【特許請求の範囲】
【請求項１】
装置外部から投入された粘性土を供給用コンベア上に定量供給する装置であって、上下に開口し且つ上側から粘性土が投入される収容体と、収容体の内壁の一部を形成し且つ下端側を中心に回動して収容体内の粘性土を押圧する押圧板と、回転に伴って収容体内の粘性土の底部を供給用コンベア上に切り落とすロータを備えたことを特徴とする粘性土供給装置。
【請求項２】
収容体が、その内壁に多数の竪のスリットを形成する固定部材を備えると共に、各スリット内に押圧板を回動可能に備え、各押圧板が、往復回動に伴って収容体の内部に対して突没動作をすることを特徴とする請求項１に記載の粘性土供給装置。
【請求項３】
押圧板の回動範囲が、その回動方向において、当該押圧板の幅に固定部材の幅を加えた範囲内であることを特徴とする請求項２に記載の粘性土供給装置。
【請求項４】
ロータが、略水平な回転軸の軸線上に所定間隔で配置され且つ回転軸とともに回転する複数の支持体と、各支持体の回転方向に所定間隔で配置され且つ各支持体の間に架設した複数の棒状カッタを備えていることを特徴とする請求項１〜３のいずれかに記載の粘性土供給装置。
【請求項５】
請求項１〜４のいずれかに記載の粘性土供給装置を含み、粘性土供給装置から定量供給された粘性土を改質する装置であって、定量供給された粘性土に改質材を供給する改質材供給装置と、供給用コンベアから投入した粘性土及び改質材を混合する混合装置と、混合装置から落下した粘性土を受けて装置外部に搬送する搬出用コンベアを備えたことを特徴とする粘性土改質装置。
【請求項６】
改質材供給装置が、改質材の供給源から定量供給された改質材を搬送する添加用コンベアと、添加用コンベアから供給用コンベア上の粘性土に改質材を供給する供給手段を備えており、供給手段が、内部を改質材の落下通路とした筒状部と、筒状部の下端部から供給用コンベアの反搬送方向に延出して搬送中の粘性土の少なくとも上層部分を筒状部の両側に通過させる尖頭部を備えていることを特徴とする請求項５に記載の粘性土改質装置。
【請求項７】
混合装置が、略水平な回転軸と、回転軸の円周方向及び軸線方向に沿って複数箇所に配置され且つ回転軸とともに回転する複数の攪拌部材を備えていることを特徴とする請求項５又は６に記載の粘性土改質装置。
【請求項８】
攪拌部材が、回転方向に変形可能な部材であることを特徴とする請求項７に記載の粘性土改質装置。
【請求項９】
供給用コンベア、添加用コンベア及び搬出用コンベアが、夫々の駆動軸を互いに平行にして上下に重なる状態に配置してあり、且つ混合装置に対して、搬出用コンベアの搬送方向及び反搬送方向のいずれか一方側に供給用コンベアの一部が対向すると共に、他方側及び上側に添加用コンベアの一部が対向する配置にしてあり、供給用コンベア及び添加用コンベアに、混合装置による混合時に付着した粘性土を搬出用コンベア上に掻き落とすスクレーパを備えたことを特徴とする請求項５〜８のいずれかに記載の粘性土改質装置。
【発明の詳細な説明】
【技術分野】
【０００１】
本発明は、河川堆積土、湖沼底土及び浚渫土などのように含水比が高い粘性土を対象とした装置であって、この様な粘性土に改質等の処理を行うに際して、回収した粘性土を処理工程に対して定量供給するのに用いられる粘性土供給装置に関し、さらに、粘性土供給装置を用いた粘性土改質装置に関するものである。
【背景技術】
【０００２】
一般に、河川体積土、湖沼底土及び浚渫土などのように含水比が高い粘性土は、支持力が非常に弱いため、当然のことながらそのままでは建築構造物の地盤等に用いることはできない。そこで、建設発生土の改良や地盤改良といった土質改良においては、上記の粘性土にセメントや石灰などの改質材を混合し、粘性土を固化することで支持力の強化を図ることが行われている。
【０００３】
なお、ここで言う粘性土とは、例えば、はちの巣構造と呼ばれる土構造を含むもので、含水比（水分重量を土粒子実質部分の重量に対する百分率で表したもの）が５０〜２００％程度のものであり、より具体的には、パワーショベルを用いて投入を行う際、バケットを逆さまにしても全てが簡単に落下しないような性状を有するものである。
【０００４】
ところで、粘性土の改質を行うには、一定量の粘性土と一定量の改質材を混合して改質が均一に成されるようにすることが必要であり、先ずは、回収した粘性土を改質工程に対して定量供給することが重要である。これに対して、土類を定量供給する従来の供給装置としては、例えば、上側から投入した土類をベルトコンベアで引き出し、キャリブレーション（ベルトスピードと開口部断面の調整）で決定した寸法の開口部を通過させて連続的に定量供給するものがあった。
【発明の開示】
【発明が解決しようとする課題】
【０００５】
しかしながら、上記したような従来の供給装置では、土砂のような土類を定量供給することは可能であるものの、高含水比の粘性土を定量供給することは困難であった。すなわち、従来の供給装置に粘性土を投入すると、粘性土が装置内壁に付着して、開口部から一定量の粘性土を連続的に落下させることができなくなり、しかも、粘性土が徐々に下がっていく間に、粘性土の内部に空洞が生じてその上部がアーチ状に残る現象が起こることがあるので、上記の空洞の存在により粘性土を定量供給することが困難であった。
【課題を解決するための手段】
【０００６】
本発明は、上記従来の状況に鑑みて成されたもので、高含水比の粘性土を連続的に定量供給することができる粘性土供給装置を提供することを目的とし、また、粘性土供給装置を用いた粘性土改質装置として、定量供給した粘性土と一定量の改質材を混合して粘性土の均一な改質を実現し得る粘性土改質装置を提供することを目的としている。
【０００７】
本発明の粘性土供給装置は、装置外部から投入された粘性土を供給用コンベア上に定量供給する装置であって、上下に開口し且つ上側から粘性土が投入される収容体と、収容体の内壁の一部を形成し且つ下端側を中心に回動して収容体内の粘性土を押圧する押圧板と、回転に伴って収容体内の粘性土の底部を供給用コンベア上に切り落とすロータを備えたことを特徴とし、より好ましい実施形態として、収容体が、その内壁に多数の竪のスリットを形成する固定部材を備えると共に、各スリット内に押圧板を回動可能に備え、各押圧板が、往復回動に伴って収容体の内部に対して突没動作をすることを特徴とし、押圧板の回動範囲が、その回動方向において、当該押圧板の幅に固定部材の幅を加えた範囲内であることを特徴とし、ロータが、略水平な回転軸の軸線上に所定間隔で配置され且つ回転軸とともに回転する複数の支持体と、各支持体の回転方向に所定間隔で配置され且つ各支持体の間に架設した複数の棒状もしくは線状のカッタを備えていることを特徴としている。
【０００８】
また、本発明の粘性土供給装置を用いた粘性土改質装置は、上記の粘性土供給装置を含み、粘性土供給装置から定量供給された粘性土を改質する装置であって、定量供給された粘性土に改質材を供給する改質材供給装置と、供給用コンベアから投入した粘性土及び改質材を混合する混合装置と、混合装置から落下した粘性土を受けて装置外部に搬送する搬出用コンベアを備えたことを特徴としている。
【０００９】
さらに、本発明の粘性土供給装置を用いた粘性土改質装置は、より好ましい実施形態として、改質材供給装置が、改質材の供給源から定量供給された改質材を搬送する添加用コンベアと、添加用コンベアから供給用コンベア上の粘性土に改質材を供給する供給手段を備えており、供給手段が、内部を改質材の落下通路とした筒状部と、筒状部の下端部から供給用コンベアの反搬送方向に延出して搬送中の粘性土の少なくとも上層部分を筒状部の両側に通過させる尖頭部を備えていることを特徴とし、さらに、混合装置が、略水平な回転軸と、回転軸の円周方向及び軸線方向に沿って複数箇所に配置され且つ回転軸とともに回転する複数の攪拌部材を備えていることを特徴とし、さらに、攪拌部材が、回転方向に変形可能な部材であることを特徴とし、さらに、供給用コンベア、添加用コンベア及び搬出用コンベアが、夫々の駆動軸を互いに平行にして上下に重なる状態に配置してあり、且つ混合装置に対して、搬出用コンベアの搬送方向及び反搬送方向のいずれか一方側に供給用コンベアの一部が対向すると共に、他方側及び上側に添加用コンベアの一部が対向する配置にしてあり、供給用コンベア及び添加用コンベアに、混合装置による混合時に付着した粘性土を搬出用コンベア上に掻き落とすスクレーパを備えたことを特徴としている。
【発明の効果】
【００１０】
本発明の粘性土供給装置によれば、装置外部から投入された粘性土を供給用コンベア上に供給するに際し、収容体内の粘性土を押圧板で定期的に押圧することにより、粘性土の内部に空洞が生じるのを防ぐことができ、また、空洞が生じたとしてもこれを解消することができると共に、その粘性土の底部をロータで切り落とす動作を継続して行うことにより、供給用コンベア上に粘性土を連続的に定量供給することができる。
【００１１】
また、本発明の粘性土供給装置によれば、多数の竪のスリットを形成する固定部材と、各スリット内で回動する多数の押圧板を採用したことから、収容体の内部に各押圧板を突出させて粘性土を押圧することにより、粘性土の内部に空洞が生じるのを防ぐことができるうえに、各押圧板を突没動作させることにより、収容体の内面に対する粘性土の付着力を低減させて同粘性土の下降を促進することができる。これにより、粘性土がロータ側に円滑に供給され、より確実な定量供給を実現することができる。
【００１２】
さらに、本発明の粘性土供給装置によれば、押圧板及び固定部材の幅に基づいて押圧板の回動範囲を設定したことから、突出限及び没入限に達した押圧板が固定部材から離間しないようにして、粘性土が収容体の外側に漏れるような事態を防止することができる。
【００１３】
さらに、本発明の粘性土供給装置によれば、回転軸とともに回転する支持体及び棒状カッタを備えたロータを採用したことから、粘性土を切断する際の抵抗が小さく、粘性土を容易に且つ確実に切り落とすことができるうえに、当該ロータが切断した粘性土の落下を何ら妨げることがなく、粘性土の安定した定量供給に貢献し得るものとなる。
【００１４】
本発明の粘性土供給装置を用いた粘性土改質装置によれば、上記の粘性土供給装置、改質材供給装置、混合装置及び搬出用コンベアを採用したことから、一定量の粘性土と一定量の改質材を混合して粘性土の均一な改質を実現し得ると共に、粘性土の回収から改質した粘性土の搬出に至るまでの工程を一装置によって連続的に行うことができる。
【００１５】
また、本発明の粘性土改質装置によれば、添加用コンベアと供給手段を備えた改質材供給装置によって改質材を連続的に定量供給することができ、この際、筒状部と尖頭部を備えた供給手段を採用したことから、供給用コンベアで搬送される粘性土の少なくとも上層部分を左右に切り分けるようにして、その間に改質材を供給することとなり、その後、供給手段を通過した左右の粘性土が内側に倒れて改質材を閉じ込めた状態にするので、改質材の飛散を防止しながら粘性土と改質材を混合装置に投入することができると共に、混合装置での充分な混合に貢献することができる。
【００１６】
さらに、本発明の粘性土改質装置によれば、略水平な回転軸と複数の攪拌部材を備えた混合装置において、竪に回転する攪拌部材により、連続的に供給される粘性土を微細に分散させて改質材との混合をより均一に行うことができる。
【００１７】
さらに、本発明の粘性土改質装置によれば、攪拌部材として回転方向に変形可能な部材を用いたことにより、粘性土及び改質材を鞭打つように打撃して双方の混合性能をより一層高めることができる。
【００１８】
さらに、本発明の粘性土改質装置によれば、混合装置の回転円周面を囲むように供給用コンベア及び添加用コンベアを配置し、両コンベアにスクレーパを設けたことにより、混合装置において飛散した粘性土が供給用コンベア及び添加用コンベアに付着し、その粘性土を搬出用コンベア上に掻き落として装置外部に搬送することができるので、装置内での粘性土の損失を低減することができると共に、供給用コンベア及び添加用コンベアに付着した粘性土が増加して固化するような事態を未然に防止することができる。
【実施例】
【００１９】
図１は本発明に係わる粘性土供給装置の一実施例を説明する図である。
図１（ａ）及び（ｂ）に示す粘性土供給装置１Ａは、装置外部から投入された粘性土Ａを供給用コンベアＣ１上に定量供給するものであり、上下に開口し且つ上側から粘性土Ａが投入される収容体２と、収容体２の内壁の一部を形成し且つ下端側を中心に回動して収容体２内の粘性土Ａを押圧する押圧板３と、回転に伴って収容体２内の粘性土Ａの底部を供給用コンベアＣ１上に切り落とすロータ４を備えている。
【００２０】
収容体２は、フレーム５により保持してあって、角筒型の本体部２ａと、本体部２ａの上部に連続し且つ対向する二面を外向きに傾斜させた導入部２ｂと、本体部２ａの下部に連続したロータ収納部２ｃを備えている。
【００２１】
押圧板３は、この実施例では二枚用いている。各押圧板３は、導入部２ｂにおける二つの傾斜面の内側に夫々配置されて、収容体２の内壁の一部を形成していると共に、収容体２にヒンジ６を介して下端部が回動自在に連結してある。また、各押圧板３は、各々の背面に、フレーム５上に取り付けた個々の油圧シリンダ７が連結してあり、油圧シリンダ７を伸長駆動することで収容体２の中心側に回動し、油圧シリンダ７を収縮駆動することで元の位置に戻る。
【００２２】
なお、図示を省略したが、収容体２の導入部２ｂには開口部が形成してあり、この開口部を通して各押圧板３と油圧シリンダ７を連結していると共に、押圧板３の回動時には、開口部から内側へ油圧シリンダ７の上部が進入する。
【００２３】
ロータ４は、この実施例では二組用いている。各ロータ４は、図１（ｃ）にも示すように、略水平な回転軸８の軸線上に所定間隔で配置され且つ回転軸８とともに回転する複数の支持体９と、各支持体９の回転方向に所定間隔で配置され且つ各支持体９の間に架設した複数の棒状カッタ１０を備えている。支持体９は、三つの脚片を１２０度間隔で備え、各脚片の先端で棒状カッタ１０を支持している。棒状カッタ１０は、少なくとも片側に切刃を有するもので、望ましくは扁平な断面形状とするのが良い。この実施例では、三枚の支持体９を回転軸８の軸線上に等間隔に配置し、三本の棒状カッタ１０を各支持体９の回転方向に等間隔で配置している。
【００２４】
そして、二組のロータ４は、同一水平面内で互いの回転軸８が平行になるようにして、収容体２の内部を横切る状態に配置してあると共に、収容体２の外側に設けたモータ１１により回転駆動され、この際、収容体２の中心側で棒状カッタ１０が下方向に移動するように、互いに逆回りに回転駆動されると共に、粘性土Ａの切り落としを交互に行うように、互いの棒状カッタ１０の位相が設定してある。
【００２５】
供給用コンベアＣ１は、ベルトコンベアであって、フレーム５の内側にほぼ水平に設置してあり、ロータ４により切り落とされた粘性土Ａを次工程に搬送する。なお、粘性土Ａは、例えば含水比が５０〜２００％程度の泥土である。
【００２６】
上記構成を備えた粘性土供給装置１Ａは、図２にも示すように、例えばパワーショベルＰを用いて収容体２に粘性土Ａが投入される。収容体２に投入された粘性土Ａは、自重で徐々に下がることとなるが、ロータ４が停止している状態では、同ロータ４によって下降が抑制される。そして、粘性土供給装置１Ａは、二組のロータ４を回転させることで、棒状カッタ１０により粘性土Ａの底部を順次切り落とし、これと同時に供給用コンベアＣ１を駆動することにより、次工程に対して粘性土Ａを連続的に定量供給する。
【００２７】
このとき、当該粘性土供給装置１Ａでは、ロータ４が複数の支持体９と複数の棒状カッタ１０で構成してあるので、簡単な構造であると共に、粘性土Ａを切断する際の棒状カッタ１０の抵抗が小さいので、粘性土Ａを容易に且つ確実に切断し得るうえに、同ロータ４が粘性土Ａの落下を何ら妨げる心配がない。
【００２８】
また、上記した粘性土Ａの切り落としが進行し、収容体２内の粘性土Ａが徐々に下がっていくと、図２（ａ）に示すように粘性土Ａの内部に空洞Ｈが生じ、その上部がアーチ状に残る現象が起こることがある。これに対して、当該粘性土供給装置１Ａでは、図２（ｂ）に示すように、各油圧シリンダ７により二枚の押圧板３を収容体中心側へ回動させて粘性土Ａを押圧し、アーチ状の部分を崩して粘性土Ａを下降させることで、ロータ４による定量の切り落としを安定して継続することができる。
【００２９】
なお、粘性土Ａにおける空洞Ｈの発生は、例えば、粘性土Ａの上面の変位を観察することで間接的に検知することが可能であり、空洞Ｈの発生を検知した際に押圧板３を作動させることも可能であるが、定量供給を継続する場合には、空洞Ｈの発生の有無に係わらず押圧板３を定期的に作動させることも勿論良い。さらに、押圧板３による粘性土Ａの押圧が終了した後には、図２（ｂ）に示すように押圧板３を元の位置に戻し、収容体２に対して粘性土Ａを投入し易くする。
【００３０】
また、本発明に係わる粘性土供給装置は、例えば、図１（ｄ）に示すように、円板状の支持体４９を備えたロータ４を用いることができ、この場合、支持体４９の外周部に複数のカッタ取付け部を設け、これらのカッタ取付け部を選択的に使用可能にして、棒状カッタ１０の本数を任意に変更し得るようにしても良い。
【００３１】
図３は、本発明に係わる粘性土供給装置の他の実施例を説明する図である。なお、先の実施例と同一の構成部位については、同一符号を付して詳細な説明を省略する。
【００３２】
図示の粘性土供給装置１Ｂは、上下に開口し且つ上側から粘性土Ａが投入される収容体５２と、収容体５２の内壁の一部を形成し且つ下端側を中心に回動して収容体５２内の粘性土Ａを押圧する押圧板５３と、回転に伴って収容体５２内の粘性土Ａの底部を図示しない供給用コンベア（図１参照）上に切り落とすロータ４を備えている。
【００３３】
この実施例の収容体５２は、対向する二辺を外向きに傾斜させた本体部５２ａと、本体部５２ａの上部に連続した角筒型の導入部５２ｂと、本体部５２ａの下部に連続したロータ収納部５２ｃを備えている。そして、本体部５２ａの両側には、傾斜した夫々の内壁に多数の竪のスリットを形成する固定部材５５を櫛歯状に備えており、各スリット内に押圧板５３を回動可能に備えている。すなわち、この実施例ではスリットの数に相当する多数の押圧板５３を備えている。
【００３４】
各押圧板５３は、固定部材５５に対して、回動を許容するだけのごく僅かな隙間を介して隣接すると共に、各固定部材５５の下端部を連続して貫通する回動軸５６に対して、夫々の下端部が連結してある。これらの押圧板５３は、収容体内側となる端面で収容体５２の内壁の一部を形成すると共に、収容体外側の端面に接合した上下の連結部材５７，５８によって互いに連結してあり、図示しない油圧シリンダ（図１参照）を駆動源として一斉に回動し、その往復回動に伴って収容体５２の内部に対して突没動作をする。
【００３５】
このとき、各押圧板５３の回動範囲は、その回動方向において、当該押圧板５３の幅Ｗ１に固定部材５５の幅Ｗ２を加えた範囲内としており、少なくとも上端部が固定部材５５から離間しない位置関係に設定してある。
【００３６】
この実施例のロータ４は、図１（ｄ）に示すものと同様に、円板状の支持体４９と、その周方向に１２０度間隔で配置した三本の棒状カッタ１０を備えたものであって、ロータ収納部５２ｃに二組収容してあり、図中の矢印で示す如く互いに逆方向に回転駆動して粘性土Ａの切り落としを行う。
【００３７】
上記構成を備えた粘性土供給装置１Ｂは、先の実施例と同様に、上側から投入した粘性土Ａを収容体５２で一旦蓄え、二組のロータ４を回転させることで、棒状カッタ１０により粘性土Ａの底部を順次切り落とし、これと同時に図示しない供給用コンベアを駆動することにより、次工程に対して粘性土Ａを連続的に定量供給する。
【００３８】
このとき、粘性土供給装置１Ｂでは、各押圧板５３を往復回動させて、図３（ａ）（ｂ）に示す如く各押圧板５３を突出させた状態、図３（ｃ）（ｄ）に示す如く各押圧板５３を没入させた状態、及び図３（ｅ）（ｆ）に示す如く各押圧板５３と固定部材５５を同一平面状に連ねた状態にすることができ、とくに、収容体５２の内部に各押圧板５３を突出させて粘性土Ａを押圧することにより、粘性土Ａの内部に空洞Ｈが生じるのを防ぐことができ、また、空洞Ｈが生じたとしてもこれを解消することができる。
【００３９】
さらに、粘性土供給装置１Ｂは、各押圧板５３を突没動作させると、突出状態においては主に各押圧板５３の端面に粘性土Ａが付着し、没入状態においては主に各固定部材５５に粘性土Ａが付着することとなり、いずれの状態でも収容体５２に対する粘性土Ａの付着面積が減少する。これにより、収容体５２の内面に対する粘性土Ａの付着力が低減し、自重による粘性土Ａの下降を促進させることができる。
【００４０】
このようにして、上記の粘性土供給装置１Ｂは、空洞Ｈの発生を防止するだけでなく、収容体５２に投入した粘性土Ａをロータ４側により円滑に供給することができ、定量供給のさらなる高精度化を実現し得るものとなる。また、当該粘性土供給装置１Ｂは、押圧板５３及び固定部材５５の幅Ｗ１，Ｗ２に基づいて押圧板５３の回動範囲を設定したことから、図３（ａ）に示す突出限、及び図３（ｃ）に示す没入限に達した押圧板５３が固定部材５５から離間することがなく、粘性土Ａが収容体５２の外側に漏れるような事態を防止し得るという利点がある。
【００４１】
次に、図４は、上記の粘性土供給装置１Ａ（又は１Ｂ）を用いた粘性土改質装置の一実施例を説明する図である。
【００４２】
図示の粘性土改質装置は、上記粘性土供給装置１Ａ（又は１Ｂ）を含み、粘性土供給装置１Ａ（又は１Ｂ）から定量供給された粘性土Ａを改質する装置であって、定量供給された粘性土Ａにセメントや石灰等の改質材Ｂを供給する改質材供給装置２１と、供給用コンベアＣ１から投入した粘性土Ａ及び改質材Ｂを混合する混合装置２２と、混合装置２２から落下した粘性土Ａを受けて装置外部に搬送する搬出用コンベアＣ２を備えてり、改質材供給装置２１が、供給源２３から定量供給された改質材Ｂを搬送する添加用コンベアＣ３を備えている。
【００４３】
ここで、供給用コンベアＣ１、搬出用コンベアＣ２及び添加用コンベアＣ３は、いずれもベルトコンベアであって、夫々の駆動軸を互いに平行にして部分的に上下に重なる状態に配置してある。また、図４中で右方向となる搬出用コンベアＣ２の搬送方向を基準にして、供給用コンベアＣ１は、混合装置２２の反搬送方向の側（図４において左側）に位置し、添加用コンベアＣ３は、混合装置２２の上側及び搬送方向の側（図４において右側）に位置している。
【００４４】
供給用コンベアＣ１は、一端部の駆動輪２４Ａ及び他端部の従動輪２４Ｂのほか、下側に第二の従動輪２４Ｃを設けて、両従動輪２４Ｂ，２４Ｃの間に傾斜部Ｃｓを形成しており、当該供給用コンベアＣ１の一部である傾斜部Ｃｓが混合装置２２の一方側に対向している。また、添加用コンベアＣ３は、一端部の駆動輪２５Ａ及び他端部の従動輪２５Ｂのほか、下側の従動輪２５Ｃと一対の保持輪２５Ｄ，２５Ｅを設けて概略Ｔ形状を成しており、当該添加用コンベアＣ３の水平部Ｃｈの片側が混合装置２２の上側に対向していると共に、垂直部Ｃｖが混合装置２２の他方側に対向している。
【００４５】
搬出用コンベアＣ２は、供給用コンベアＣ１、添加用コンベアＣ３及び混合装置２２の下側に位置すると共に、搬出側が装置外部に延出している。これに対して、供給用コンベアＣ１の下部と、添加用コンベアＣ３の水平部Ｃｈにおける反混合装置側の下部には、混合装置２２による混合時に付着した粘性土Ａを搬出用コンベアＣ２上に掻き落とすスクレーパ２６，２７が設けてある。なお、図示のように、搬出用コンベアＣ２の搬出側に別のコンベアＣ４を配置する場合には、搬出用コンベアＣ２の下部にもスクレーパ２８を設けることができる。
【００４６】
改質材供給装置２１は、先述の如く供給源２３から定量供給された改質材Ｂを搬送する添加用コンベアＣ３と、添加用コンベアＣ３から供給用コンベアＣ１上の粘性土Ａに改質材Ｂを供給する供給手段２９を備えており、添加用コンベアＣ３の搬出側の端部が供給用コンベアＣ１の上側に延出している。
【００４７】
また、供給手段２９は、図５にも示すように、添加用コンベアＣ３の搬出側の端部を被うとともに改質材Ｂの落下ガイドとなるハウジング３０と、内部を改質材Ｂの落下通路とした筒状部３１と、筒状部３１の下端部から供給用コンベアＣ１の反搬送方向に延出する尖頭部３２を備えている。
【００４８】
筒状部３１は、ハウジング３０の下端部に連続すると共に、供給用コンベアＣ１に向けて垂下し、同コンベアＣ１の上面との間に適当な隙間を形成している。また、筒状部３１の下端部には、供給用コンベアＣ１の反搬送側に、落下した改質材Ｂを通過させるための切欠き３３が形成してある。
【００４９】
尖頭部３２は、この実施例では三角錐状を成すと共に、供給用コンベアＣ１の上面との間に適当な隙間を形成しており、搬送中の粘性土Ａの少なくとも上層部分を左右に切り分けて、筒状部３１の両側に通過させる。なお、粘性土Ａは、高含水比を有することから、尖頭部３２により切り分けられた状態を維持することはなく、筒状部３１を通過した後に内側に倒れる。
【００５０】
混合装置２２は、図６に示すように、フレーム３４に対して回転自在に保持された略水平な回転軸３５と、回転軸３５の円周方向及び軸線方向に沿って複数箇所に配置され且つ回転軸３５とともに回転する複数の攪拌部材３６を備えている。攪拌部材３６は、回転方向に変形可能な部材であって、その一例としてチェーンを挙げることができ、この実施例では、回転軸３５の円周方向に等間隔で八箇所、回転軸３５の軸線方向に等間隔で六箇所に設けてあり、合計４８本である。このように、攪拌部材３６は、回転方向に変形可能な部材を用いることで、粘性土Ａ及び改質材Ｂを鞭打つように打撃して双方の混合性能をより一層高めることができ、図示例の如くチェーンを用いれば、充分な混合性能を実現する構成を比較的安価に得られるという利点がある。
【００５１】
また、フレーム３４の上部には、モータ３７が設けてあると共に、モータ３７と回転軸３５の間には、伝達ベルト３８が巻き掛けてあり、モータ３６により回転軸３５及び各攪拌部材３６を回転駆動する。
【００５２】
この実施例の混合装置２２は、図５に示すように、回転軸３５及び攪拌部材３６から成る構成を二組備え、各回転軸３５の軸線が各コンベアＣ１〜Ｃ３の駆動軸と平行になるように並列配置してあると共に、その中間で粘性土Ａが下方向に移動するように、互いに逆回りに回転駆動される。したがって、先述した供給用コンベアＣ１の傾斜部Ｃｓ、添加用コンベアＣ３の水平部Ｃｈ及び垂直部Ｃｖは、混合装置２２の回転円周面に対向して配置してある。
【００５３】
なお、粘性土改質装置は、各コンベアＣ１〜Ｃ３及び混合装置２２の両側に、図４に一部を示す外壁３９が設けてあり、混合装置２２は、各コンベアＣ１〜Ｃ３及び外壁３９で囲まれた略閉空間に位置している。また、粘性土改質装置は、上記構成のほか、図示を省略したが、各コンベアＣ１〜Ｃ３、粘性土供給装置１Ａ（又は１Ｂ）、改質材供給装置２１及び混合装置２２を制御する制御装置を備えており、必要に応じて駆動部の動作や速度を任意に設定することができる。
【００５４】
上記構成を備えた粘性土改質装置は、粘性土供給装置１Ａ（又は１Ｂ）から粘性土Ａを連続的に定量供給すると共に、供給用コンベアＣ１で搬送中の粘性土Ａに対して、改質材供給装置２１から改質材Ｂを連続的に定量供給する。このとき、改質材供給装置２１は、供給手段２９の尖頭部３２により、搬送中の粘性土Ａの少なくとも上層部分を左右に切り分けると共に、筒状部３１を通して、切り分けた粘性土Ａの間に改質材Ｂを定量供給する。また、筒状部３１の両側を通過した粘性土Ａは、内側に倒れて改質材Ｂを閉じ込めた状態にする。これにより、改質材Ｂの飛散を防止しながら、一定量の粘性土Ａと一定量の改質材Ｂを混合装置２２に確実に投入することができる。
【００５５】
次に、混合装置２２では、回転軸３５を例えば５００〜１０００ｒｐｍで回転させ、供給用コンベアＣ１から落下してきた粘性土Ａ及び改質材Ｂを竪に高速回転する攪拌部材３６に衝突させ、粘性土Ａ及び改質材Ｂを微細に分散させて双方を充分に混合させる。
【００５６】
ここで、回転軸３５の回転数は、とくに限定されるものではないが、例えば３００ｒｐｍ程度に下げると、粘性土Ａを分散化させる効果が減少し、塊状の粘性土Ａの外側に改質材Ｂが付着したような低品質のものとなる。また、上記低回転では、攪拌部材３６に粘性土Ａが付着し易くなり、粘性土Ａが固化しつつ付着量が増大するので、混合装置２２の各構成部位に対する負荷が増大する。
【００５７】
そこで、当該粘性土改質装置では、回転軸３５の回転数を５００〜１０００ｒｐｍ程度とすることで、粘性土Ａを充分に分散させて改質後の品質を高めるようにし、且つ攪拌部材３６に粘性土Ａが付着し難いものにして混合装置２２の過負荷を防止している。なお、回転軸３５の回転数は、高くなるほど攪拌部材３６に対する粘性土Ａの付着防止効果が向上するが、むやみに高回転化してもモータの大型化や構造部品の強化が必要になるだけで混合性能に大差はないので、上限を１０００ｒｐｍ程度とするのが良い。
【００５８】
また、上記したような混合装置２２では、当然のことながら改質材Ｂを含む粘性土Ａが混合時に飛散し、その周囲に付着することが避けられない。このとき、混合装置２２を単にハウジング類で被うだけでは、ハウジング内壁に付着した粘性土Ａが固化しつつ増大するので、装置内での粘性土Ａの損失が生じると共に、固化した粘性土Ａが回転する攪拌部材３６と干渉する恐れもある。
【００５９】
これに対して、当該粘性土改質装置では、混合装置２２の回転円周面を囲むように供給用コンベアＣ１及び添加用コンベアＣ３を配置し、両コンベアＣ１，Ｃ３にスクレーパ２６，２７を設けているので、混合装置２２において飛散した粘性土Ａが供給用コンベアＣ１及び添加用コンベアＣ３に付着し、その粘性土Ａをスクレーパ２６，２７により搬出用コンベアＣ２上に掻き落として装置外部に搬送することができる。
【００６０】
したがって、混合装置２２に対しては、スクレーパ２６，２７で粘性土Ａが除去されたコンベア搬送面が順次送り込まれて対向することになり、供給用コンベアＣ１及び添加用コンベアＣ３に付着した粘性土Ａと攪拌部材３６とが干渉するような事態を未然に防止することができるうえに、装置内での粘性土Ａの損失を極めて小さくすることができる。
【００６１】
以上のように、上記実施例の粘性土供給装置１Ａ（又は１Ｂ）を用いた粘性土改質装置は、一定量の粘性土Ａと一定量の改質材Ｂを充分に混合して粘性土Ａの均一な改質を実現し得るものであると共に、粘性土Ａの回収から改質した粘性土Ａの搬出に至るまでの一連の工程を一装置によって連続的に行うことができる。
【００６２】
なお、本発明に係わる粘性土供給装置及びこれを用いた粘性土改質装置は、その構成の細部が上記実施例のみに限定されるものではなく、本発明の要旨を逸脱しない範囲で具体的構成を適宜変更することができる。
【００６３】
粘性土改質装置においては、混合装置を囲む構成として、供給用コンベアを図４に示す添加用コンベアのように略Ｔ形状にしたり、添加用コンベアを図４に示す供給用コンベアのように傾斜部を有するものにしたりすることができ、さらに、混合装置の攪拌部材としては、回転方向に変形可能な部材であることがより望ましく、チェーン以外に複数の部材を互いに可動に連結したものや、可撓性を有する単一部材から成るものなどを用いることができ、このほか、粘性土供給装置及び粘性土改質装置のいずれにおいても、各構成部材の数（組数）や形状などは当然のことながら変更し得るものである。
【図面の簡単な説明】
【００６４】
【図１】本発明に係わる粘性土供給装置の一実施例を説明する断面図（ａ）、斜視図（ｂ）、ロータの斜視図（ｃ）及びロータの他の実施例を示す斜視図（ｄ）である。
【図２】図１に示す粘性土供給装置において、粘性土に空洞が生じた状態を示す断面図（ａ）、押圧板を回動させた状態を示す断面図（ｂ）及び押圧板を戻した状態を示す断面図（ｃ）である。
【図３】本発明に係わる粘性土供給装置の一実施例を説明する図であって、押圧板の突出状態を示す断面図（ａ）及び要部の斜視図（ｂ）、押圧板の没入状態を示す断面図（ｃ）及び要部の斜視図（ｄ）、並びに押圧板と固定部材が同一平面状に連なる状態を示す断面図（ｅ）及び要部の斜視図（ｆ）である。
【図４】図１又は図３に示す粘性土供給装置を用いた粘性土改質装置の一実施例を説明する側面図である。
【図５】改質材の供給部分及びその周囲を示す断面図（ａ）、供給手段を説明する斜視図（ｂ）及び供給手段を説明する側面図（ｃ）である。
【図６】混合装置を説明する回転軸の軸線方向の断面図（ａ）及び側面図（ｂ）である。
【符号の説明】
【００６５】
Ａ    粘性土
Ｂ    改質材
Ｃ１  供給用コンベア
Ｃ２  搬出用コンベア
Ｃ３  添加用コンベア
１Ａ  粘性土供給装置
１Ｂ  粘性土供給装置
２    収容体
３    押圧板
４    ロータ
８    回転軸（ロータの回転軸）
９    支持体
１０  棒状カッタ
２１  改質材供給装置
２２  混合装置
２３  改質材の供給源
２６  スクレーパ
２７  スクレーパ
２９  供給手段
３１  筒状部
３２  尖頭部
３５  回転軸（混合装置の回転軸）
３６  攪拌部材
４９  支持体
５２  収容体
５３  押圧板
５５  固定部材
【図１】
2006021188.tif 000003
【図２】
2006021188.tif 000004
【図３】
2006021188.tif 000005
【図４】
2006021188.tif 000006
【図５】
2006021188.tif 000007
【図６】
2006021188.tif 000008